(57)【要約】【課題】簡易な構造で対象物の広範囲にエアーを当てることが可能な送風機のエアー放出ノズルを提供することである。【解決手段】ヘアードライヤー２からのエアーの向きを変える筒状の壁面を有する風向変更体４が、吹き出し口２ａに連通して設けられた外装体３の内側でその軸線を中心に回転可能に軸支されるとともに、ヘアードライヤー２からのエアーが当たることにより風向変更体４を回転させる回転力を得る羽根４ｇ，４ｇが風向変更体４に設けられ、この羽根４ｇ，４ｇにより風向変更体４が回転駆動されると、ヘアードライヤー２からのエアーがエアー放出ノズル１によってその向きが回転により変えられながら螺旋状に放出される。【選択図】  図１
2004176597.tif 000002
【特許請求の範囲】
【請求項１】
送風機から流入されるエアーの向きに斜めに面した傾斜壁面を含む筒状の風向変更体が、前記送風機の吹き出し口に連通して設けられた外装体の内側中心軸にて回転可能に軸支されるとともに、前記送風機から流入されるエアーが当たることにより前記風向変更体を回転させる回転力を得る羽根が前記風向変更体に設けられ、前記羽根が得た回転力により前記風向変更体が回転駆動されると、前記送風機から流入されるエアーの向きが前記風向変更体によって変えられながら螺旋状に放出されることを特徴とする送風機のエアー放出ノズル。
【請求項２】
送風機から流入されるエアーの向きに斜めに面した傾斜壁面を含む筒状の風向変更体が、前記送風機の吹き出し口に連通して設けられた外装体の内側中心軸にて、前記傾斜壁面に前記送風機から流入するエアーが当たることにより前記風向変更体を回転させる回転力が得られるように回転可能に軸支され、前記傾斜壁面が得た回転力により前記風向変更体が回転駆動されると、前記送風機から流入されるエアーがその向きを前記風向変更体によって変えられながら螺旋状に放出されることを特徴とする送風機のエアー放出ノズル。
【請求項３】
前記外装体が前記風向変更体と共に前記送風機の吹き出し口から一体的に着脱自在可能であることを特徴とする請求項１又は２に記載の送風機のエアーノズル。
【請求項４】
請求項１から３のいずれかに記載の送風機のエアー放出ノズルを備えたヘアードライヤー。
【請求項５】
請求項１から３のいずれかに記載の送風機のエアー放出ノズルを備えたエアーシャワー装置。
【発明の詳細な説明】
【０００１】
【発明の属する技術分野】
本発明は、ヘアードライヤーやエアーシャワー装置などの送風機のエアー放出ノズルに関し、更に詳しくは送風機からのエアーをその向きを変えながら螺旋状に放出する送風機のエアー放出ノズルに関するものである。
【０００２】
【従来の技術】
一般的に、市販されているヘアードライヤーはそのエアーの吹き出し方向が一定のノズル構造であり、前髪を希望の形に整えたりするのにピンポイントで風を当てる場合はそれでいいのだが、濡れた髪を乾かす時やふわりと仕上げたい時などの頭髪の広い範囲にまんべんなく風を当てたい場合、通常、使用者はヘアードライヤーを頭のまわりで振ったり回したりしながら風を頭髪に吹きかけていた。さらには、ヘアードライヤーの熱風が頭髪の一箇所に集中すると熱いことからも、このような使い方がされている。
【０００３】
また、半導体製造や食品加工業界などのクリーンルームや防塵ルームへの前室であるエアーシャワー室に備え付けられるエアーシャワー装置においても、そのエアーシャワー室壁面に設置されるエアーノズルユニットのエアー吹き出し方向が一定方向である構造のため、エアーシャワー室を通過する作業者等に対して、その全域をカバーするように、多数のエアーノズルユニットが必要とされていた。
【０００４】
【特許文献１】
実開昭５７−１７９３０２号公報
【特許文献２】
特開平６−２９１００３号公報
【発明が解決しようとする課題】
【０００５】
しかしながら、ヘアードライヤーのこのような使い方は、ヘアードライヤー自体がそれほど軽いものではないため面倒で煩わしかった。また、エアシャワー装置においても、エアーノズルユニットをエアーシャワー室壁面に多数設置するのはコスト高である。そこで、本発明の解決する課題は、簡易な構造で対象物の広範囲にエアーを当てることが可能な送風機のエアー放出ノズルを提供することである。
【０００６】
【課題を解決するための手段】
この課題を解決するため本発明に係る送風機のエアー放出ノズルは、送風機から流入されるエアーの向きに斜めに面した傾斜壁面を含む筒状の風向変更体が、前記送風機の吹き出し口に連通して設けられた外装体の内側中心軸にて回転可能に軸支されるとともに、前記送風機から流入されるエアーが当たることにより前記風向変更体を回転させる回転力を得る羽根が前記風向変更体に設けられ、前記羽根が得た回転力により前記風向変更体が回転駆動されると、前記送風機から流入されるエアーの向きが前記風向変更体によって変えられながら螺旋状に放出されることを要旨とするものである。
【０００７】
上記構成を有する送風機のエアー放出ノズルによれば、送風機から流入するエアー流れの向きに対して斜めに面した傾斜壁面を含む風向変更体を、吹き出き口に連通して設けられた外装体の内側中心軸にて回転可能に軸支して、さらに、送風機から流入するエアーが当たることにより風向変更体を回転させるための回転力を得る羽根がその風向変更体に設けられているという構成により、このノズルの風向変更体に流入するエアーは風向きが変更されるうえに、羽根によりその風向変更体が回転されるので、送風機から風向変更体に流入したエアーは螺旋状に広範囲に放出されることになる。また、螺旋状に放出されることにより、脈動を伴ったエアーの流れが形成される。
【０００８】
また、風向変更体の回転のための駆動力が送風機からのエアーによって得られるという構成なので、別途、回転駆動用の機構、例えば電動モータなどの機構を要することがない。したがって、簡易な構造で対照物に対して広範囲にエアーを当てることが可能となる。
【００００９】
また、他の本発明に係る送風機のエアー放出ノズルは、送風機から流入されるエアーの向きに斜めに面した傾斜壁面を含む筒状の風向変更体が、前記送風機の吹き出し口に連通して設けられた外装体の内側中心軸にて、前記傾斜壁面に前記送風機から流入するエアーが当たることにより前記風向変更体を回転させる回転力が得られるように回転可能に軸支され、前記傾斜壁面が得た回転力により前記風向変更体が回転駆動されると、前記送風機から流入されるエアーがその向きを前記風向変更体によって変えられながら螺旋状に放出されることを要旨とするものである。
【００１０】
上記構成を有する送風機のエアー放出ノズルによれば、風向変更体の傾斜壁面に送風機からのエアーが当たることにより風向変更体を回転させる回転力が得られるという、風向変更体の筒状の壁面のうちの傾斜壁面部分が風向変更体を回転させる羽根に相当するという構成であるので、風向変更体に流入した送風機からのエアーは傾斜壁面により風向きが変更されるうえに、その際に傾斜壁面が回転力を得て風向変更体を回転させるので、前述の発明と同様に送風機からのエアーは螺旋状に広範囲に放出され、さらには、脈動を伴ったエアーの流れを形成して放出されことになる。この場合も、風向変更体の回転のための駆動力が送風機からのエアーによって得られるので、別途、回転駆動用の機構を必要としない非常に簡易な構造である。
【００１１】
これらのエアー放出ノズルにおいて、前記外装体が前記風向変更体と共に前記送風機の吹き出し口から一体的に着脱自在可能である構成にすれば、エアーを通常の状態で放出させる場合と螺旋状に広範囲に放出させる場合とを選択することができて便利である。
【００１２】
そして、このような構成のエアー放出ノズルをヘアードライヤーに採用すれば、従来のようにヘアードライヤーを振ったり回したりすることなく、頭髪の広範囲に風を当てることができるので、整髪や乾髪の際の煩わしさがなくなる。また、ヘアードライヤーの熱風が頭髪の一箇所に集中的に当たるということがないので熱い思いをしなくて済むようになる。また、回転により脈動した風も得られるので、ふわりとした仕上がりの整髪や乾髪を行ない易くなり便利である。
【００１３】
また、エアーシャワー室に備え付けられるエアーシャワー装置の吹き出し口にこのエアー放出ノズルを採用すれば、被清浄物に対して広範囲に清浄空気を当てることができるので、現状のエアーノズルユニットの数を減らすことが可能になり、エアーシャワー装置のコストを下げることができる。
【００１４】
【発明の実施の形態】
以下に、本発明に係るエアー放出ノズルの実施の形態について図面を参照して詳細に説明する。先ず第１の実施の形態について図１〜図３を用いて説明する。図１はエアー放出ノズル１の外観斜視図、図２はその分解図、図３はエアー放出ノズル１の正面図と断面図を示している。
【００１５】
図示されるように、エアー放出ノズル１は、送風機であるヘアードライヤー２の吹き出し口２ａに着脱可能な外装体３と、この外装体３の内側で回転可能に軸支される風向変更体４とで構成されている。
【００１６】
外装体３は、円筒形状を有しており、ヘアードライヤー２の吹き出し口２ａに嵌合接続可能な嵌合部３ａが段状に形成されており、この嵌合部３ａがヘアードライヤー２の吹き出し口２ａの外周に係合することで容易に外れないようになっている。また、この外装体３の内側には棒状の軸部３ｂが、外装体３内周の直径方向に橋渡し形成された支持部３ｃの中央位置に前方に向かって突出して設けられており、風向変更体４がこの軸部３ｂに回転可能に軸支されるようになっている。
【００１７】
風向変更体４は円筒形状の筒の開口部端面を、径方向に対して垂直にではなく所定角度傾けて切ったような形状の筒部４ａを有しており、筒部４ａの開口面４ｂ，４ｃはそれぞれ同じ楕円形状となっている。この筒部４ａの内側には、前述の外装体３に設けられた軸部３ｂが挿通される軸孔４ｄが開口形成された軸受部４ｅが設けられている。この軸受部４ｅは、筒部４ａの中心軸に対して傾いた状態で平板状のハブ４ｆ，４ｆによって筒部４ａの内周に連結されている。図３（ｂ）に示すように、筒部４ａの軸方向はこの軸受部３ｂの軸方向に対して傾斜していることにより、傾斜壁面４ｈ，４ｈが形成されている。また、ハブ４ｆ，４ｆのそれぞれの前端部分には羽根４ｇ，４ｇが互いに逆向きになるように形成されている。また、外装体３の軸部３ｂの先端に係合する係合蓋５は、軸部３ｂから風向変更体４が容易に外れないようにするためのものである。
【００１８】
このような構造のエアー放出ノズル１をヘアードライヤー２の吹き出し口２ａ部分に取り付けてドライヤーのスイッチを入れて熱風又は冷風が吹き出されると、風向変更体４の筒部４ａの上流側の開口面４ｂから流入した風は下流側の開口面４ｃから傾斜壁面４ｈ，４ｈにより斜めに放出されるとともに、ハブ４ｆ，４ｆの前端部分に形成された羽根４ｇ，４ｇに当たることより筒部４ａは回転力６，６を得て、外装体３の軸部３ｂを中心に回転駆動される。
【００１９】
これによりヘアードライヤー２から吹き出される風は風向変更体４によって斜めにその向きが変えられて放出されるとともに、その放出の方向は回転して常に変化する。つまり、図１０に示すように、ヘアードライヤー２の風はこのエアー放出ノズル１により広範囲に螺旋状に放出され、さらには、螺旋状に放出されることにより、脈動を伴った風が形成される。
【００２０】
次に、第２の実施の形態に係るエアー放出ノズル１１について図４〜図６を用いて説明する。図４はエアー放出ノズル１１の外観斜視図、図５はその分解図、図６は正面図と断面図を示している。尚、この第２実施の形態のエアー放出ノズル１１は、上述の第１実施形態のエアー放出ノズル１とは風向変更体の構造が異なるだけなので、上述の第１の実施形態と同一の構成については同符号を付して説明は省略する。
【００２１】
この場合の風向変更体１２は外装体３の軸部３ｂに対して所定角度傾けられた円筒状の筒部１２ａを有しており、この筒部１２ａの径方向に対して垂直に切った開口面１２ｂ，１２ｃが形成されている。また、この筒部１２ａの内側には、外装体３の軸部３ａが挿通される軸孔１２ｄが開口形成された軸受部１２ｅが、筒部１２ａ内周の左側にハブ１２ｆによって連結されている。
【００２２】
このように外装体３に軸支された風向変更体１２にエアードライヤー２からの風が送られると、風向変更体１２の筒部１２ａの上流側の開口面１２ｂから流入した風は下流側の開口面１２ｃから傾斜壁面１２ｇ，１２ｇにより斜めに放出される。このとき、筒部１２ａのうち、ヘアードライヤー２からの風の流れの向きに傾斜して面した傾斜壁面１２ｇ、１２ｇ部分に風が当たると、それぞれの傾斜壁面１２ｇ，１２ｇには風向変更体１２を回転させる方向に回転力１３，１３が発生するので、風向変更体１２は外装体３の軸部３ｂを中心に回転駆動される。
【００２３】
したがって、このような構造のエアー放出ノズル１１をヘアードライヤー２の吹き出し口２ａに取り付けてドライヤーのスイッチを入れると、このドライヤーからの風は風向変更体１２によって斜めに吹き出されるとともに、この風向変更体１２を回転させる。これによりヘアードライヤー２から吹き出される風は風向変更体１２によって斜めにその向きが変えられるとともに、この風向変更体１２は、その筒部１２ａの斜めに配された傾斜壁面１２ｇ，１２ｇによって回転駆動されるので、風の放出方向は回転して変化する。つまり、前述と同様にヘアードライヤー２からの風はエアー放出ノズル１１により広範囲に螺旋状に放出される。また、風の流れに脈動も生じることになる。
【００２４】
次に、第３の実施の形態に係るエアー放出ノズル２１について図７〜図９を用いて説明する。図７はエアー放出ノズル２１の外観斜視図、図８はその分解図、図９は正面図と断面図を示している。尚、この実施の形態のエアー放出ノズル２１は、上述の第２実施形態のエアー放出ノズル１１とは風向変更体が異なるだけなので、上述の第２の実施形態と同一の構成については同符号を付して説明は省略する。
【００２５】
風向変更体２２は外装体３の軸部３ｂに対して傾斜した２つの円筒形状の筒部２２ａ，２２ａが互い違いに対面するように設けられており、この筒部２２ａ，２２ａには、その径方向に対して垂直に切った開口面２２ｂ，２２ｂ，２２ｃ，２２ｃがそれぞれ形成されている。これら筒部２２ａ，２２ａとの間には、外装体３の軸部３ｂが挿通される軸孔２２ｄが開口した軸受部２２ｅがハブ２２ｆ，２２ｆによって連結されている。
【００２６】
このように外装体３に軸支された風向変更体２２にヘアードライヤー２からの風が送られると、風向変更体２２の筒部２２ａ，２２ａのそれぞれの上流側の開口面２２ｂ，２２ｂから流入した風は下流側の開口面２２ｃ，２２ｃからそれぞれ傾斜壁面２２ｇ，２２ｇ，２２ｇ，２２ｇにより斜めに放出されると同時に、ヘアードライヤー２からの風の流れの方向に対して傾斜して面した傾斜壁面２２ｇ、２２ｇ，２２ｇ，２２ｇ部分に風が当たると、それぞれの傾斜壁面２２ｇには風向変更体２２を同じ方向に回転させる回転力２３，２３，２３，２３が発生するので、風向変更体２２は外装体３の軸部３ｂを中心に回転駆動される。
【００２７】
したがって、このような構造のエアー放出ノズル２２をヘアードライヤー２の吹き出し口２ａ部分に取り付けてドライヤーのスイッチを入れると、このドライヤー２からの風は風向変更体２２によって斜めに吹き出されるとともに、この風向変更体２２を回転させる。これによりヘアードライヤー２から吹き出される風は風向変更体２２によって斜めにその向きが変えられるとともに、この風向変更体２２は、その筒部２２ａ，２２ａのそれぞれに斜めに配された傾斜壁面２２ｇ，２２ｇによって回転駆動されるので、風の放出方向は回転して変化する。つまり、前述と同様にヘアードライヤー２からの風はエアー放出ノズル２１により広範囲に螺旋状に放出される。また、風の流れに脈動も生じることになる。
【００２８】
上述した３種類のエアー放出ノズル１，１１，２１によれば、ヘアードライヤー２からの風は、常にその向きを回転によって変えられて広範囲に吹き出されるので、図１０に示されるように、頭髪７の整髪したい部分や乾髪したい部分に対して偏りなくヘアードライヤー２の風を当てることができる。これにより、従来行なっていたようなドライヤーを振ったりする必要がなくなる。また、ヘアードライヤー２の熱風が頭髪７の一箇所に集中的に当たるということがないので熱い思いをしなくて済むようになる。また、風向変更体４（１２，２２）の回転により脈動した風が得られるので、ふわりとした仕上がりの整髪や乾髪が行ない易く便利である。
【００２９】
さらに、このような構成のエアー放出ノズル１，１１，２１のそれぞれに備えられる風向変更体４，１２，２２の回転は、ヘアードライヤー２からの風を用いて駆動されるという構成なので、別途、回転駆動用の機構、例えば電動モータ等によって回転させるなどの機構を要することがないという非常に簡易なノズル構造である。
【００３０】
次に、上述したエアー放出ノズル１（１１，２１）を、図１１に示すようなクリーンルームの前室であるエアーシャワー室３０のエアーシャワー装置３１のエアー吹き出し口のノズルとして用いた場合の実施形態を示している。
【００３１】
一般に半導体製造は、クラス１０００やクラス１００などの高い清浄度に維持されたクリーンルーム内で行なわれるが、このクリーンルームへの入口には、図示されるようなエアーシャワー室３０が設置されている。このエアーシャワー室３０において、クリーンルームに入室する作業者３２等に付着している塵埃を除去するため、清浄空気が吹き付けられるようになっている。
【００３２】
図示されるように、作業者３２がエアーシャワー室３０に入ると、図示しないセンサによりエアーシャワー装置３１が備える送風モータ３３が作動される。この送風モータ３３は、プレフィルタ３４からエアーシャワー室３０の空気を吸引してメインフィルタ３５を介してエアーチャンバー室３６に送風する。この送風モータ３３からエアーチャンバー室３６に送風された清浄空気はエアーシャワー室３０の壁面に複数個設置されたエアーノズルユニット３７の吹き出し口３７ａから放出される。
【００３３】
このエアーノズルユニット３７の吹き出し口３７ａには、上述のエアー放出ノズル１（１１，２１）が備えられているので、作業者３２等の被清浄物に対して、広範囲にしかも偏りなく清浄空気を当てることができる。これにより、エアーシャワー装置３１が備えるエアーノズルユニット３７の個数を減らすことが可能になり、その分、コストを削減することができる。また、前述したとおり、このエアー放出ノズル１（１１，２１）から放出された風は脈動を伴う風となるので、より塵埃の除去がされ易くなるという効果もある。
【００３４】
以上説明したエアー放出ノズル１（１１，２１）によれば、風向変更体４（１２，２２）に流入したエアーは風向きが変更されるうえに、その風向変更体４（１２，２２）が簡易な回転駆動手段により回転されることにより、送風機からのエアーは螺旋状に広範囲に放出され、さらには螺旋状に回転して放出されることにより、脈動を伴ったエアーの流れを形成される。また、このエアー放出ノズル１（１１，２１）が備える回転手段の駆動源が送風機からのエアーを利用したという構成なので、別途、回転駆動用の機構が必要ない。したがって、エアー放出ノズル１（１１，２１）は簡易な構成で対照物に対して広範囲にエアーを当てることが可能なノズルである。
【００３５】
尚、本発明はこうした実施形態に何ら限定されるものではなく、本発明の要旨を逸脱しない範囲において、種々なる態様で実施できることは勿論である。例えば、上述した筒部４ａ，１２ａ，２２ａは、円筒形状に限定されるものではなく、種々なる形状のもの適用させることができるのは勿論である。また、その数も限定されない。さらには、羽根４ｇや傾斜壁面１２ｇ，２２ｇは風を受けて回転力を得る形状や構造のものであれば良く、実施例のように限定されないのは言うまでもない。そして、吹き出し口２ａ（３７ａ）と外装体３が一体的な構成であっても勿論良い。
【００３６】
【発明の効果】
本発明に係る送風機のエアー放出ノズルによれば、風向変更体に流入した送風機からのエアーは風向きが変更されるとともに、その風向変更体が簡易な回転手段により回転する結果、螺旋状に広範囲に放出される。これにより、ヘアードライヤーを振ったり回したりする煩わしさがなくなり、または、エアーシャワー装置のエアーノズルユニットの数を減らすことが可能になるなどの顕著な効果を奏する。
【図面の簡単な説明】
【図１】本発明の第１の実施形態に係るエアー放出ノズルの概略構成を示す外観斜視図である。
【図２】図１のエアー放出ノズルの分解斜視図である。
【図３】図１のエアー放出ノズルの正面図と断面図である。
【図４】本発明の第２の実施形態に係るエアー放出ノズルの概略構成を示す外観斜視図である。
【図５】図４のエアー放出ノズルの分解斜視図である。
【図６】図４のエアー放出ノズルの正面図と断面図である。
【図７】本発明の第の３実施形態に係るエアー放出ノズルの概略構成を示す外観斜視図である。
【図８】図７のエアー放出ノズルの分解斜視図である。
【図９】図７のエアー放出ノズルの正面図と断面図である。
【図１０】本発明に係るエアー放出ノズルの使用の形態を示した概略図である。
【図１１】本発明に係るエアー放出ノズルを用いたエアーシャワー装置の概略構成図である。
【符号の説明】
１    エアー放出ノズル
２  ヘアードライヤー
２ａ  吹き出し口
３  外装体
３ａ  嵌合部
３ｂ  軸部
３ｃ  支持部
４  風向変更体
４ａ  筒部
４ｂ，４ｃ  開口面
４ｄ  軸孔
４ｅ  軸受部
４ｆ  ハブ
４ｇ  羽根
５  係合蓋
６  回転力
【図１】
2004176597.tif 000003
【図２】
2004176597.tif 000004
【図３】
2004176597.tif 000005
【図４】
2004176597.tif 000006
【図５】
2004176597.tif 000007
【図６】
2004176597.tif 000008
【図７】
2004176597.tif 000009
【図８】
2004176597.tif 000010
【図９】
2004176597.tif 000011
【図１０】
2004176597.tif 000012
【図１１】
2004176597.tif 000013